(57)【特許請求の範囲】
【請求項１】
目地部を介して設けられた左右の床躯体の少なくとも一方の目地部側の床躯体に、反目地部側が傾斜面に形成された目地プレートスライド支持凹部と、この目地プレートスライド支持凹部を覆う目地プレート下地カバーと、前記目地プレートスライド支持凹部にスライド移動可能で、かつ前記目地部を覆う浅皿状の皿部材を備える目地プレートと、この目地プレートの上面の水を前記目地プレート下地カバー上あるいは、前記目地部の近傍部位へ排水する、該目地プレートに埋設された排水パイプと、前記目地プレート下地カバー上あるいは前記目地部の近傍部位に排水された水を受けられるように、前記一方の目地部側の床躯体に取付けられた樋とからなることを特徴とする床用目地装置。
【請求項２】
目地プレート下地カバーの上面には前後方向に複数個の排水溝が形成され、目地プレートの皿部材には左右方向の補強リブが設けられ、かつ該補強リブ間で前記目地プレート下地カバーの排水溝へ排水することができるように排水パイプが設けられていることを特徴とする請求項1記載の床用目地装置。
【発明の詳細な説明】
【技術分野】
【０００１】
本発明は目地部を介して設けられた左右の床躯体間を覆う床用目地装置に関する。
【背景技術】
【０００２】
従来、屋外で車両等の走行がされる部位に設置される床用目地装置は、浅皿状の皿部材にモルタルやコンクリートを充填し、上部にタイルや床化粧板を設置した目地プレートを用いている。
【０００３】
このように構成された目地プレートは野外で使用される場合、雨水が中央部にたまったりしたり、屋内に設置された場合、清掃作業で水洗いすると中央部に水たまりができてしまうという欠点があった。
【先行技術文献】
【特許文献】
【０００４】
【特許文献１】特許第３８１３８８０号
【発明の概要】
【発明が解決しようとする課題】
【０００５】
本発明は以上のような従来の欠点に鑑み、目地プレート上に水たまりができたりするのを防止することができるとともに、目地プレート上の水を効率よく排水することができ、かつ目地プレートの強度を損なうことのない床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して設けられた左右の床躯体の少なくとも一方の目地部側の床躯体に、反目地部側が傾斜面に形成された目地プレートスライド支持凹部と、この目地プレートスライド支持凹部を覆う目地プレート下地カバーと、前記目地プレートスライド支持凹部にスライド移動可能で、かつ前記目地部を覆う浅皿状の皿部材を備える目地プレートと、この目地プレートの上面の水を前記目地プレート下地カバー上あるいは、前記目地部の近傍部位へ排水する、該目地プレートに埋設された排水パイプと、前記目地プレート下地カバー上あるいは前記目地部の近傍部位に排水された水を受けられるように、前記一方の目地部側の床躯体に取付けられた樋とで床用目地装置を構成している。
【発明の効果】
【０００９】
以上の説明から明らかなように、本発明にあっては次に列挙する効果が得られる。
（１）請求項1により、目地プレート上の水を排水パイプで、目地プレート下地カバーの排水可能な手段を介して樋へ排水することができる。
したがって、目地プレート上に水たまりが生じたりする不具合を効率よく阻止することができる。
（２）前記（１）により、目地プレートと目地プレート下地カバーを設計変更し、樋を設置すればよく、容易に実施することができる。
（３）請求項２も前記（１）、（２）と同様な効果が得られるとともに、目地プレートの強度を従来と同様にでき、かつ排水パイプを容易に設置することができる。
【図面の簡単な説明】
【００１０】
【図１】本発明を実施するための第１の形態の平面図。
【図２】図1の２−２線に沿う断面図。
【図３】本発明を実施するための第１の形態の目地プレート下地カバーの説明図。
【図４】本発明を実施するための第１の形態の目地プレートの説明図。
【図５】本発明を実施するための第１の形態の目地部が狭くなった動作説明図。
【図６】本発明を実施するための第１の形態の目地部が広くなった動作説明図。
【図７】本発明を実施するための第２の形態の平面図。
【図８】図7の８−８線に沿う断面図。
【図９】本発明を実施するための第２の形態の目地プレートの説明図。
【図１０】本発明を実施するための第３の形態の平面図。
【図１１】図１０の１１−１１線に沿う断面図。
【図１２】本発明を実施するための第３の形態の目地プレート支持金具の説明図。
【図１３】本発明を実施するための第４の形態の平面図。
【図１４】図１３の１４−１４線に沿う断面図。
【図１５】本発明を実施するための第４の形態の目地プレートの説明図。
【発明を実施するための形態】
【００１１】
以下、図面に示す本発明を実施するための形態により、本発明を詳細に説明する。
【００１２】
図１ないし図６に示す本発明を実施するための第１の形態において、１は目地部２を介して設けられた左右の床躯体３、３間を覆う本発明の床用目地装置で、この床用目地装置1は前記左右の床躯体３、３の一方の目地部側の床躯体３に形成された反目地部側が傾斜面4に形成された目地プレートスライド支持凹部５と、この目地プレートスライド支持凹部５を覆うように固定された上面が左右方向に所定間隔で形成された排水溝６を有する目地プレート下地カバー７と、前記左右の床躯体３、３の他方の目地部側の床躯体３に形成された目地プレート支持凹部８と、この目地プレート支持凹部８を覆うように固定されたカバー９と、このカバー９に後端部が支持され、先端部が前記目地プレート下地カバー７を覆うように設置される目地プレート１０と、この目地プレート１０の先端部を上方へ回動できるように、該目地プレート１０の後端両側部に下部が開口するように設けられた係合ボックス１１、１１に係合するように前記カバー９に固定された係合ピン１２、１２と、前記目地プレート１０の上面の雨水等の水を前記目地プレート下地カバー７上へ排水できるように、該目地プレート１０に埋設された排水パイプ１３と、前記目地プレート下地カバー７で前記目地部２へ排水される水を受けられるように、前記一方の目地部側の床躯体３に取付け凹部１４を形成して取付けられた樋１５および、この樋１５と対応する他方の目地部側の床躯体３に取付け凹部１４を形成して取付けられた樋１５とで構成されている。
【００１３】
前記目地プレート下地カバー７は図３に示すように、排水溝６が形成された目地プレート下地カバー本体１６と、この目地プレート下地カバー本体１６の先端部と一体形成された、前記傾斜面４と面接触するガイド板１７と、前記目地プレート下地カバー本体１６の後端部より下方へ突出するように一体形成されたカバー板１８とで構成されている。
なお、前記排水溝６にかえて、目地プレート下地カバー本体１６の上面に小さな半円状の突起を所定間隔で多数個設けても同様な作用効果が得られる。
【００１４】
前記目地プレート１０は図４に示すように、浅皿状に形成された金属材製の皿部材としての目地プレート本体１９と、この目地プレート本体１９の内底面に左右方向に所定間隔となるように固定された、該目地プレート本体１９の高さ寸法よりも低い複数個の補強リブ２０と、この複数個の補強リブ２０の中央部の補強リブ２０、２０間に固定された一端が目地プレート本体１９のほぼ中央部の上部位置に開口し、他端が一方の床躯体３側の側壁１９ａに開口する曲面の折り曲げ部２１を有する排水パイプ１３と、前記目地プレート本体１９内に前記排水パイプ１３の開口を塞ぐことなく充填されたモルタルあるいはコンクリート２２と、このモルタルあるいはコンクリート２２の上部を前記排水パイプ１３の開口を塞ぐことなく覆うタイルや床材等の床化粧板２３と、前記目地プレート本体１９の先端部上方にヒンジ部材２４を介して取付けられたカバープレート２５とで構成されている。
【００１５】
上記構成の床用目地装置１は目地プレート１０上に雨水や清掃用の水が位置すると、排水パイプ１３の開口部より排水パイプ１３内へ入り込み、目地プレート下地カバー７上へ排出され、該目地プレート下地カバー７の排水溝６より目地部側へ導かれ、樋１５へ排水される。
【００１６】
なお、目地プレート支持凹部８部位の雨水等は、他方の床躯体３に取付けた樋１５へ導き、排水される。
【００１７】
地震で目地部２が狭くなるように左右の床躯体３、３が揺れ動いた場合には、図５に示すように目地プレート１０の先端部が一方の床躯体３上へ乗り上がってその揺れ動きを吸収し、目地部２が広くなるように揺れ動いた場合には、図６に示すように目地プレート１０の先端部が目地プレート下地カバー７上をスライド移動して、その揺れ動きを吸収する。
【００１８】
[発明を実施するための異なる形態]
次に、図７ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図７ないし図９に示す本発明を実施するための第２の形態において、前記本発明を実施するための第１の形態と主に異なる点は、他方の床躯体３の目地部側に反目地部側が傾斜面４に形成された目地プレートスライド支持凹部５および、該目地プレートスライド支持凹部５を覆う目地プレート下地カバー７を用いるとともに、両端部に両目地プレート下地カバー７、７に支持される目地プレート１０Ａおよび、該目地プレート１０Ａの中央部を目地部２の中央部に常時位置させることができる、両端部が目地部側の左右の床躯体３、３に枢支され、中央部が該目地プレート１０Ａの中央部に枢支された中央維持リンク機構２６を用いた点で、このように構成された床用目地装置１Ａにしても、前記本発明を実施するための第１の形態と同様な作用効果が得られる。
【００２０】
図１０ないし図１２に示す本発明を実施するための第３の形態において、前記本発明を実施するための第１の形態と主に異なる点は、目地プレート１０の後端部を他方の床躯体３の目地部側の床躯体３に複数本のタッピングビス２７で固定された目地プレート支持金具２８に支持させるとともに、該目地プレート支持金具２８に固定された係合ピン１２、１２を目地プレート１０の係合ボックス１１、１１に係合させた点で、このように構成された床用目地装置１Ｂにしても、前記本発明を実施するための第１の形態と同様な作用効果が得られる。
【００２１】
図１３ないし図１５に示す本発明を実施するための第４の形態において、前記本発明を実施するための第１の形態と主に異なる点は、一方の床躯体３の目地部側端部近傍の目地プレート１０に下端部側が拡開状態となるゴミが詰まりづらい排水パイプ１３Ａをほぼ垂直状態で配置した点で、このように排水パイプ１３Ａを埋設した目地プレート１０を用いて構成した床用目地装置１Ｃにしても、前記本発明を実施するための第１の形態と同様な作用効果が得られる。
【産業上の利用可能性】
【００２２】
本発明は目地部を介して設けられた左右の床躯体間を覆う床用目地装置を製造する産業で利用される。
【符号の説明】
【００２３】
１、１Ａ、１Ｂ、１Ｃ：床用目地装置、
２：目地部、        ３：床躯体、
４：傾斜面、          
５：目地プレートスライド支持凹部、  
６：排水溝、        ７：目地プレート下地カバー、
８：目地プレート支持凹部、  ９：カバー、
１０、１０Ａ：目地プレート、  １１：係合ボックス、
１２：係合ピン、      １３、１３Ａ：排水パイプ、
１４：取付け凹部、      １５：樋、
１６：目地プレート下地カバー本体、
１７：ガイド板、      １８：カバー板、
１９：目地プレート本体、    ２０：補強リブ、
２１：曲面の折り曲げ部、    
２２：モルタルあるいはコンクリート、
２３：床化粧板、      ２４：ヒンジ部材、
２５：カバープレート、    ２６：中央維持リンク機構、
２７：タッピングビス、    ２８：目地プレート支持金具。
【図１】
0005390459.tif 000002
【図２】
0005390459.tif 000003
【図３】
0005390459.tif 000004
【図４】
0005390459.tif 000005
【図５】
0005390459.tif 000006
【図６】
0005390459.tif 000007
【図７】
0005390459.tif 000008
【図８】
0005390459.tif 000009
【図９】
0005390459.tif 000010
【図１０】
0005390459.tif 000011
【図１１】
0005390459.tif 000012
【図１２】
0005390459.tif 000013
【図１３】
0005390459.tif 000014
【図１４】
0005390459.tif 000015
【図１５】
0005390459.tif 000016